(57)【特許請求の範囲】
【請求項１】
生存可能な最低量のビタミンＥを与えた心臓特異的ＰＨＧＰｘ（リン脂質−ヒドロペルオキシドグルタチオンペルオキシダーゼ）欠損マウスであり、１０週齢の時点で１日２回の限界走行による運動負荷を与えると特発性心筋症による突然死を起こす、特発性心筋症モデルマウス。
【請求項２】
生存可能な最低量のビタミンＥが、飼料１００ｇ中９〜１２ｍｇである、請求項１に記載の特発性心筋症モデルマウス。
【請求項３】
被検試料の投与下又は非投与下で、請求項１又は２に記載の特発性心筋症モデルマウスに運動負荷を与え、死亡率又は運動能力を測定する工程と、
前記被検試料の投与下の前記特発性心筋症モデルマウスの死亡率が、前記被検試料の非投与下の前記特発性心筋症モデルマウスの死亡率よりも低下していた場合、又は前記被検試料の投与下の前記特発性心筋症モデルマウスの運動能力が、前記被検試料の非投与下の前記特発性心筋症モデルマウスの運動能力よりも向上していた場合に、前記被検試料は特発性心筋症の治療又は予防剤であると判断する工程と、
を備える、特発性心筋症の治療又は予防剤のスクリーニング方法。
【発明の詳細な説明】
【技術分野】
【０００１】
本発明は、特発性心筋症モデル非ヒト動物及びその利用に関する。
【背景技術】
【０００２】
突然死は発症から２４時間以内に起きる死として定義される。突然死の多くは心臓突然死である。心臓突然死の多くは動脈硬化による心筋梗塞であるが、中には血管系の異常によらない心臓突然死（特発性心筋症による突然死）も存在する。特発性心筋症による突然死の発生機序は未解明であり、予防法や治療法が存在しないのが現状である。
【０００３】
ところで、発明者らは、以前に、抗酸化酵素であるＰＨＧＰｘ（リン脂質ヒドロペルオキシドグルタチオンペルオキシダーゼ）を心臓特異的に欠損させたマウスが胎生致死であること、しかしながら、母親マウスにビタミンＥ高添加飼料を与えると生存できること、また、離乳後もビタミンＥ高添加飼料を与えると生存できること、更に、ビタミンＥ高添加飼料を通常飼料に切り替えると突然死を起こすことを明らかにした（例えば、非特許文献１を参照）。
【先行技術文献】
【非特許文献】
【０００４】
【非特許文献１】Imai H, et al., Early embryonic lethality caused by targeted disruption of the mouse PHGPx gene, Biochem Biophys Res Commun., 305, 278-86, 2003.
【発明の概要】
【発明が解決しようとする課題】
【０００５】
特発性心筋症による突然死の発生機序を解明し、予防法や治療法の開発を行うためには、特発性心筋症による突然死を起こすモデル非ヒト動物が有用である。そこで、本発明は、特発性心筋症による突然死を起こすモデル非ヒト動物を提供することを目的とする。
【課題を解決するための手段】
【０００６】
本発明は以下の通りである。
（１）生存可能な最低量のビタミンＥを与えた心臓特異的ＰＨＧＰｘ（リン脂質ヒドロペルオキシドグルタチオンペルオキシダーゼ）欠損非ヒト動物であり、運動負荷を与えると特発性心筋症による突然死を起こす、特発性心筋症モデル非ヒト動物。
（２）生存可能な最低量のビタミンＥが、飼料１００ｇ中９〜１２ｍｇである、（１）に記載の特発性心筋症モデル非ヒト動物。
（３）被検試料の投与下又は非投与下で、（１）又は（２）に記載の特発性心筋症モデル非ヒト動物に運動負荷を与え、死亡率又は運動能力を測定する工程と、前記被検試料の投与下の前記特発性心筋症モデル非ヒト動物の死亡率が、前記被検試料の非投与下の前記特発性心筋症モデル非ヒト動物の死亡率よりも低下していた場合、又は前記被検試料の投与下の前記特発性心筋症モデル非ヒト動物の運動能力が、前記被検試料の非投与下の前記特発性心筋症モデル非ヒト動物の運動能力よりも向上していた場合に、前記被検試料は特発性心筋症の治療又は予防剤であると判断する工程と、を備える、特発性心筋症の治療又は予防剤のスクリーニング方法。
【発明の効果】
【０００７】
本発明により、特発性心筋症による突然死を起こすモデル非ヒト動物を提供することができる。
【図面の簡単な説明】
【０００８】
【図１】実験例２の結果を示すグラフである。
【図２】（ａ）及び（ｂ）は、実験例３の生存率の結果を示すグラフである。
【図３】（ａ）及び（ｂ）は、実験例３の走行時間の結果を示すグラフである。
【発明を実施するための形態】
【０００９】
［特発性心筋症モデル非ヒト動物］
１実施形態において、本発明は、生存可能な最低量のビタミンＥを与えた心臓特異的ＰＨＧＰｘ欠損非ヒト動物であり、運動負荷を与えると特発性心筋症による突然死を起こす、特発性心筋症モデル非ヒト動物を提供する。
【００１０】
上述したように、ＰＨＧＰｘを心臓特異的に欠損させたマウスが胎生致死である。しかしながら、母親マウスにビタミンＥ高添加飼料を与えると生存することができる。また、ＰＨＧＰｘを心臓特異的に欠損させたマウスは、離乳後もビタミンＥ高添加飼料を与えると生存することができる。
【００１１】
実施例において後述するように、発明者らは、まず、心臓特異的ＰＨＧＰｘ欠損マウスの飼料に添加することにより、生存を維持することができる最低量のビタミンＥ量を検討した。その結果、心臓特異的ＰＨＧＰｘ欠損マウスの生存を維持することができる最低量のビタミンＥ量は、飼料１００ｇ中９〜１２ｍｇであることが明らかとなった。
【００１２】
更に、実施例において後述するように、発明者らは、最低量のビタミンＥを含む飼料を与えることにより生存を維持している心臓特異的ＰＨＧＰｘ欠損マウスに、運動負荷を与えると、特発性心筋症による突然死を起こすことを明らかにした。
【００１３】
したがって、本実施形態の非ヒト動物は、特発性心筋症による突然死を起こすモデル非ヒト動物として利用することができる。本モデル非ヒト動物は、特発性心筋症による突然死の発生機序を解明し、予防法や治療法の開発を行う研究材料として有用である。
【００１４】
（非ヒト動物）
非ヒト動物としては、特に制限されず、例えば、マウス、ラット、ウサギ、ブタ、ウシ、サル等が挙げられる。本実施形態のモデル非ヒト動物は、心臓特異的にＰＨＧＰｘを欠損している。例えば、マウスＰＨＧＰｘ遺伝子のＧｅｎｂａｎｋアクセッション番号はＡＢ０３０６４３である。非ヒト動物がマウス以外の動物である場合には、各動物種におけるＰＨＧＰｘが欠損していればよい。心臓特異的ＰＨＧＰｘ欠損非ヒト動物の具体的な作製方法については後述する。
【００１５】
続いて、非ヒト動物がマウスである場合を例に、特発性心筋症モデル非ヒト動物の作製方法について説明する。まず、心臓特異的ＰＨＧＰｘ欠損マウスを３週齢程度まで成長させる。この間は離乳前であるため、母親マウスにビタミンＥ高添加飼料を与えることにより、心臓特異的ＰＨＧＰｘ欠損マウスの生存を維持するとよい。ビタミンＥ高添加飼料としては、例えば、通常食であるＣＥ−２（日本クレア社製）１００ｇに対して１００ｍｇのビタミンＥを添加したもの等を用いることができる。
【００１６】
続いて、心臓特異的ＰＨＧＰｘ欠損マウスが離乳したら、生存を維持することができる最低量のビタミンＥ含む飼料を与えて飼育する。ビタミンＥの量は、飼料１００ｇ中９〜１２ｍｇであればよい。
【００１７】
（運動負荷）
運動負荷は例えばトレッドミル（ベルト式強制走行装置）等を用いて与えるとよい。例えば、室町機械社製、型式「ＭＫ−６８０」等の装置を利用することができる。運動負荷は、例えば１０週齢程度で与えるとよい。この場合、運動負荷を効果的に与えるために、８週齢及び９週齢時において、週２回ずつ練習走行させることが好ましい。練習走行の条件としては、例えば、傾斜なし、速度９ｍ／分、加速４分当たり＋３ｍ／分、２０分間等が挙げられる。
【００１８】
運動負荷は、本実施形態の効果が得られる限り特に限定されず、例えば連続３日間のプログラムで与えるとよい。例えば、次のような運動負荷プログラムを例示することができる。まず、１日目に１回目の限界走行を行わせ、２時間休憩させ、更に２回目の限界走行を行わせる。限界走行とは、走るのを止めたときに電気刺激を与えることにより強制的に走らせ、マウスが走れなくなるまで走行させることを意味する。走行条件としては、例えば、傾斜１０度、速度９ｍ／分、加速４分当たり＋３ｍ／分等が挙げられる。給餌条件としては、例えば、１回目の限界走行の約３時間前から絶食させ、２回目の限界走行後から再給餌するとよい。２日目及び３日目も１日目と同様の運動負荷を与えるとよい。
【００１９】
実施例において後述するように、発明者らは、本実施形態の特発性心筋症モデル非ヒト動物に上記のような運動負荷を与えた場合に、運動負荷３日目に走行時間の顕著な短縮が観察され、更に特発性心筋症による突然死を起こすことを明らかにした。
【００２０】
［特発性心筋症の治療又は予防剤のスクリーニング方法］
１実施形態において、本発明は、被検試料の投与下又は非投与下で、上記の特発性心筋症モデル非ヒト動物に運動負荷を与え、死亡率又は運動能力を測定する工程と、前記被検試料の投与下の前記特発性心筋症モデル非ヒト動物の死亡率が、前記被検試料の非投与下の前記特発性心筋症モデル非ヒト動物の死亡率よりも低下していた場合、又は前記被検試料の投与下の前記特発性心筋症モデル非ヒト動物の運動能力が、前記被検試料の非投与下の前記特発性心筋症モデル非ヒト動物の運動能力よりも向上していた場合に、前記被検試料は特発性心筋症の治療又は予防剤であると判断する工程と、を備える、特発性心筋症の治療又は予防剤のスクリーニング方法を提供する。
【００２１】
本実施形態の方法により、特発性心筋症の治療又は予防剤をスクリーニングすることができる。被検試料としては、例えば化合物ライブラリー等を使用することができる。被検試料の投与方法としては、例えば、飼料に添加する方法、飲水に添加する方法、静脈注射等により投与する方法等が挙げられる。
【００２２】
運動負荷としては、例えば上述したものと同様のものが挙げられる。運動負荷を与えた場合において、被検試料の投与下の特発性心筋症モデル非ヒト動物の死亡率が、被検試料の非投与下の特発性心筋症モデル非ヒト動物の死亡率よりも低下していた場合には、被検試料は特発性心筋症の治療又は予防剤であると考えられる。
【００２３】
あるいは、運動負荷を与えた場合において、被検試料の投与下の特発性心筋症モデル非ヒト動物の運動能力が、被検試料の非投与下の特発性心筋症モデル非ヒト動物の運動能力よりも向上していた場合には、被検試料は特発性心筋症の治療又は予防剤であると考えられる。
【００２４】
ここで、運動能力を測定するとは、例えば限界走行させた場合の走行時間の長さを測定すること等が挙げられる。また、運動能力が向上するとは、例えば、限界走行させた場合の走行時間の長さがより長くなることを意味する。
【００２５】
例えば、限界走行させる運動負荷を与えた場合において、被検試料の投与下の特発性心筋症モデル非ヒト動物の走行時間が、被検試料の非投与下の特発性心筋症モデル非ヒト動物の走行時間よりも長かった場合には、被検試料は特発性心筋症の治療又は予防剤であると考えられる。
【実施例】
【００２６】
次に実施例を示して本発明を更に詳細に説明するが、本発明は以下の実施例に限定されるものではない。
【００２７】
［実験例１］
（心臓特異的ＰＨＧＰｘ欠損マウスの作製）
まず、ＥＳ細胞を用いたホモロガスリコンビネーションによる定法により、ＰＨＧＰｘ遺伝子ノックアウトマウス（ＰＨＧＰｘ−／−）を作製した（非特許文献１を参照。）。ＰＨＧＰｘ−／−マウスは、発生過程の７．５日で胚致死となった（非特許文献１を参照）。  
【００２８】
そこで、ｌｏｘＰ配列に挟まれたマウスＰＨＧＰｘゲノム遺伝子（ｌｏｘＰ−ＰＨＧＰｘ）を遺伝子導入（Ｔｇ）し、Ｔｇ（ｌｏｘＰ−ＰＨＧＰｘ）＋／−：ＰＨＧＰｘ＋／＋マウスを作製した。
【００２９】
続いて、Ｔｇ（ｌｏｘＰ−ＰＨＧＰｘ）＋／−：ＰＨＧＰｘ＋／＋マウスとＰＨＧＰｘ＋／−マウスとを交配して、Ｔｇ（ｌｏｘＰ−ＰＨＧＰｘ）＋／−：ＰＨＧＰｘ＋／−マウスを作製し、このマウス同士を交配することにより、内在性のＰＨＧＰｘゲノム遺伝子がノックアウト（ＫＯ）され、導入したｌｏｘＰ−ＰＨＧＰｘＴｇ遺伝子により胚致死をレスキューしたＴｇ（ｌｏｘＰ−ＰＨＧＰｘ）＋／＋：ＰＨＧＰｘ−／−マウスを作製した（Imai H, et al., Deletion of selenoprotein GPx4 in spermatogenesis causes male infertility in mice, J. Biol. Chem., 284, 32522-32, 2009.を参照。）。
【００３０】
また、ＰＨＧＰｘ＋／−マウスと、心臓特異的プロモーターである筋肉クレアチンキナーゼプロモーター（Ｍｕｓｃｌｅ  ｃｒｅａｔｉｎｅ  ｋｉｎａｓｅ）の下流にＣｒｅ遺伝子を有するマウス（Ｃｒｅ＋／＋）との交配を繰り返し、Ｃｒｅ＋／＋ＰＨＧＰｘ＋／−マウスを得た。
【００３１】
続いて、Ｃｒｅ＋／＋ＰＨＧＰｘ＋／−マウスと、上述したＴｇ（ｌｏｘＰ−ＰＨＧＰｘ）＋／＋：ＰＨＧＰｘ−／−マウスとを交配することにより、Ｃｒｅ＋／−：Ｔｇ（ｌｏｘＰ−ＰＨＧＰｘ）＋／−：ＰＨＧＰｘ−／−マウスを得た。このマウスは、心臓特異的にＰＨＧＰｘを欠損する。
【００３２】
このようにして得られた心臓特異的ＰＨＧＰｘ欠損マウスを観察したところ、発生過程の１６．５日までは正常に生育したが、１７．５日に心筋細胞が突然死を起こし、１８．５日には浮腫を引き起こして致死となった。
【００３３】
しかしながら、母親マウスにビタミンＥ高添加飼料を毎日与えた場合、発生過程１７．５日目の心臓特異的ＰＨＧＰｘ欠損マウスの心臓組織の細胞死は完全に抑制され、心臟特異的ＰＨＧＰｘ欠損マウスが正常に産まれた。ビタミンＥ高添加飼料としては、通常食であるＣＥ−２（日本クレア社製）１００ｇに対して１００ｍｇのビタミンＥを添加したものを用いた。
【００３４】
発明者らは、更に、心臓特異的ＰＨＧＰｘ欠損マウスのビタミンＥ高添加飼料を通常飼料に切り替えると、約１０日で心不全による突然死を起こすことを以前に明らかにした。
【００３５】
［実験例２］
（心臓特異的ＰＨＧＰｘ欠損マウスが生存可能な最低量のビタミンＥ量の検討）
心臓特異的ＰＨＧＰｘ欠損マウスに与えるビタミンＥ高添加飼料中のビタミンＥの量を減らし、心臓特異的ＰＨＧＰｘ欠損マウスが生存可能な最低量のビタミンＥ量を検討した。
【００３６】
より具体的には、ビタミンＥ高添加飼料を与えていた心臓特異的ＰＨＧＰｘ欠損マウスの飼料を、通常食であるＣＥ−２（日本クレア社製）１００ｇに対して、０、１、２、５及び１０ｍｇのビタミンＥを添加した飼料に変更し、飼料を変更してからの生存日数を検討した。対照として、ＣＥ−２（日本クレア社製）１００ｇに対して１００ｍｇのビタミンＥを添加した飼料（ビタミンＥ高添加飼料）を与えた心臓特異的ＰＨＧＰｘ欠損マウスを用いた。なお、ＣＥ−２（日本クレア社製）１００ｇ中に含まれるビタミンＥ量には、ロットにより約４〜７ｍｇの間でばらつきが存在していた。
【００３７】
図１は、各飼料に変更してからの生存日数を示すグラフである。その結果、ＣＥ−２（日本クレア社製）１００ｇに対して５ｍｇのビタミンＥを添加した飼料を与えた心臓特異的ＰＨＧＰｘ欠損マウスは、対照マウスと同様に生存可能であることが明らかとなった。
【００３８】
上記の結果から、ＣＥ−２（日本クレア社製）にもともと含まれているビタミンＥの量を考慮して、心臓特異的ＰＨＧＰｘ欠損マウスが生存可能な最低量のビタミンＥ量は、飼料１００ｇ中９〜１２ｍｇであることが明らかとなった。
【００３９】
［実験例３］
（特発性心筋症モデルマウスへの運動負荷の検討）
母親マウスにビタミンＥ高添加飼料を与えることにより、心臓特異的ＰＨＧＰｘ欠損マウスを３週齢まで成長させた。ビタミンＥ高添加飼料としては、通常食であるＣＥ−２（日本クレア社製）１００ｇに対して１００ｍｇのビタミンＥを添加したものを用いた。
【００４０】
心臓特異的ＰＨＧＰｘ欠損マウスが離乳する３週齢以降は、通常食であるＣＥ−２（日本クレア社製）１００ｇに対して５ｍｇのビタミンＥを添加した飼料（ビタミンＥの量は、飼料１００ｇ中９〜１２ｍｇ）を与えて飼育した。
【００４１】
対照として、表現型が正常であるＰＨＧＰｘヘテロマウス（Ｃｒｅ＋／−：Ｔｇ（ｌｏｘＰ−ＰＨＧＰｘ）＋／−：ＰＨＧＰｘ＋／−マウス）及びビタミンＥ高添加飼料を与えたマウスに同様の操作を行なった。
【００４２】
マウスが８週齢及び９週齢の時点で、トレッドミル（型式「ＭＫ−６８０」、室町機械社製）を用いて週２回走行練習を行った。走行条件は、傾斜なし、速度９ｍ／分、加速４分当たり＋３m／分、２０分間とした。
【００４３】
続いて、マウスが１０週齢の時点で連続３日間の運動負荷を与えた。走行条件は、傾斜１０度、速度９ｍ／分、加速４分当たり＋３ｍ／分とした。１日目に１回目の限界走行を行わせ、２時間休憩させ、更に２回目の限界走行を行わせた。飼料は、１回目の限界走行の約３時間前から絶食させ、２回目の限界走行後から再給餌した。２日目及び３日目も１日目と同様の運動負荷を与えた。
【００４４】
図２（ａ）及び（ｂ）は、運動負荷後の各マウスの生存率を示すグラフである。図２（ａ）は、最低量のビタミンＥを与えた、心臓特異的ＰＨＧＰｘ欠損マウス（図中、「ＫＯ」と示す。）及びヘテロマウス（図中、「ヘテロ」と示す。）の生存率を示すグラフである。図２（ｂ）は、ビタミンＥ高添加飼料を与えた、心臓特異的ＰＨＧＰｘ欠損マウス（ＫＯ）及びヘテロマウスの生存率を示すグラフである。
【００４５】
図２（ａ）に示すように、最低量のビタミンＥを与えた心臓特異的ＰＨＧＰｘ欠損マウス（ＫＯ）には、限界走行後に突然死を起こすものが現れた。解剖した結果、死因は特発性心筋症による突然死であることが確認された。また、図２（ａ）及び（ｂ）に示すように、ヘテロマウス及びビタミンＥ高添加飼料を与えたマウスは突然死を起こさなかった。
【００４６】
また、図３（ａ）及び（ｂ）は、各マウスの運動負荷時の走行時間を示すグラフである。図３（ａ）は、最低量のビタミンＥを与えた、心臓特異的ＰＨＧＰｘ欠損マウス（ＫＯ）及びヘテロマウスの走行時間を示すグラフである。図３（ｂ）は、ビタミンＥ高添加飼料を与えた、心臓特異的ＰＨＧＰｘ欠損マウス（ＫＯ）及びヘテロマウスの走行時間を示すグラフである。
【００４７】
その結果、ヘテロマウス及びビタミンＥ高添加飼料を与えたマウスでは、運動負荷を繰り返しても走行時間の短縮は認められなかった。一方、最低量のビタミンＥを与えた、心臓特異的ＰＨＧＰｘ欠損マウスでは、運動負荷を繰り返すと走行時間の短縮が認められた。特に、運動負荷３日目に走行時間の顕著な短縮が観察された。
【産業上の利用可能性】
【００４８】
本発明により、特発性心筋症による突然死を起こすモデル非ヒト動物を提供することができる。本モデル非ヒト動物は、特発性心筋症による突然死の発生機序を解明し、予防法や治療法の開発を行う研究材料として有用である。
【図１】
0006652761.tif 000002
【図２】
0006652761.tif 000003
【図３】
0006652761.tif 000004